(57)【特許請求の範囲】
【請求項１】
遊技盤の前面に貼着され、貼着面との反対面に遊技領域に対応する装飾画が描画されたセル板と、
前記遊技領域の所定位置に配置され、遊技機に対応する機種情報が表示された表示部と、
前記表示部に重ね合わせて取り付けられ、外形が表示部よりも大きくされるとともに少なくとも表示部との対応箇所が光透過性材料により形成された盤面部材と、
を有することを特徴とする遊技機。
【請求項２】
遊技盤の前面に貼着され、貼着面との反対面に遊技領域に対応する装飾画が描画されたセル板と、
前記遊技領域の所定位置に配置され、遊技機に対応する機種情報が表示された表示部と、
前記表示部に重ね合わせて取り付けられ、外形が表示部よりも大きくされるとともに表示部との対応位置に開口部が形成された盤面部材と、
を有することを特徴とする遊技機。
【請求項３】
前記開口部が光透過性部材により塞がれていることを特徴とする請求項２記載の遊技機。
【請求項４】
前記表示部が前記遊技領域のほぼ中央に配置されていることを特徴とする請求項１〜請求項３の何れか１項記載の遊技機。
【請求項５】
前記機種情報が、機種名、当たり確率、確変割合、リミット回数、賞球数を含む機種仕様、及び、遊技説明の少なくともいずれか一方であることを特徴とする請求項１〜請求項４の何れか１項記載の遊技機。
【発明の詳細な説明】
【０００１】
【発明の属する技術分野】
本発明は遊技機に係り、詳しくは、遊技機に対応する機種情報を遊技盤に表示する表示方法に関する。
【０００２】
【従来の技術】
パチンコ機やスロットマシン等の遊技機は、保安電子通信技術協会（保通協）の型式試験、及び、公安委員会の型式検定に適合することで製造・販売が可能となる。そしてそれらの試験・検定に適合し、認可を受けた機種は、例えばパチンコ機の場合、遊技盤に機種固有の情報（機種名・当たり確率（値）・確変割合・リミット回数・賞球数等の機種仕様、及び、確立変動図柄、遊技説明等の遊技情報／以下「機種情報」という）を表示する必要がある。この機種情報の表示方法として、従来のパチンコ機では、遊技盤の盤面を装飾する装飾部品（通称「Ｇ盤飾り」）上に機種情報を表記したシールを貼り付けたり、セル板に描画されるデザイン図（グラフィック情報）の遊技領域に、機種情報を直接印刷するなどしている。
【０００３】
【発明が解決しようとする課題】
しかし、上述したシールを用いる表示方法では、製造工程での手作業により、誤って他機種のシールが貼り付けられてしまう危険性がある。さらに、シールの作製及び貼り付け作業に掛かるコストによって、遊技機の製造コストが上昇する問題もある。
【０００４】
一方、機種情報をセル板に印刷する方法は、シールが不要であることから、誤表記の防止、及び、コストアップを抑制することができる利点がある。しかし、遊技領域に設ける遊技部品のレイアウト等に支障をきたさない位置で、デザイン図の背景画像や各種キャラクター画像等と識別可能、且つ、自然な状態に融合させて表示しなければならないため、そのバランスを取った表現が難しく、図案化が容易ではない。このように、機種情報をセル板の遊技領域に表示する場合は、セルデザインへの影響が大きくなることから、デザイン図の作成効率が低下する問題がある。
【０００５】
本発明は上記事実を考慮して、機種情報を遊技盤の遊技領域に表示する際に、遊技機に対応する機種情報が正しく表示され、且つ、コストの上昇が抑制されるとともに、デザイン図作成の効率化を図ることができる遊技機を提供することを課題とする。
【０００６】
【課題を解決するための手段】
請求項１に記載の発明は、遊技盤の前面に貼着され、貼着面との反対面に遊技領域に対応する装飾画が描画されたセル板と、前記遊技領域の所定位置に配置され、遊技機に対応する機種情報が表示された表示部と、前記表示部に重ね合わせて取り付けられ、外形が表示部よりも大きくされるとともに少なくとも表示部との対応箇所が光透過性材料により形成された盤面部材と、を有することを特徴としている。
【０００７】
請求項１に記載の発明では、遊技盤の前面にセル板が貼着される。セル板は、遊技領域に対応する装飾画が貼着面との反対面に描画されており、遊技領域の所定位置に、遊技機に対応する機種情報（機種固有の情報）を印刷等により表示した表示部が設けられている。この表示部に、表示部よりも外形が大きい盤面部材を重ね合わせ、遊技盤の前面（セル板上）に取り付ける。そして盤面部材は、表示部との対応箇所を透明樹脂等の光透過性材料で形成した構造とする。
【０００８】
これにより、遊技者等は、盤面部材に覆われた表示部の機種情報を、光透過性材料部分を透視して確認することができる。しかも、表示部が見かけ上は盤面部材周囲の装飾画から切り離されたように写るため、遊技者等は、表示部の機種情報を装飾画のキャラクター画像等と混同することなく容易に識別できるようになる。
【０００９】
したがって、表示部を遊技領域に設ける際の装飾画作成では、装飾画の画像に対し表示部の機種情報を識別可能、且つ、自然な状態に融合させて表現するための考案や工夫等、負荷的な要素が軽減され、レイアウトや図案化が容易になる。よって、装飾画作成の効率化が図られる。また、機種情報を遊技領域に印刷等で形成することにより、従来のようなシールを用いる場合に比べ、誤表記が確実に防止されるとともに製造時のコストアップも抑制される。
【００１０】
また、表示部を遊技領域に配置することで、遊技者が遊技中に遊技球の移動軌跡や盤面部品の動作状況等を目で追っているときでも、視線を大きくずらすことなく迅速、且つ、容易に表示部を確認することができる。したがって、遊技への集中が妨げられることもない。
【００１１】
請求項２に記載の発明は、遊技盤の前面に貼着され、貼着面との反対面に遊技領域に対応する装飾画が描画されたセル板と、前記遊技領域の所定位置に配置され、遊技機に対応する機種情報が表示された表示部と、前記表示部に重ね合わせて取り付けられ、外形が表示部よりも大きくされるとともに表示部との対応位置に開口部が形成された盤面部材と、を有することを特徴としている。
【００１２】
請求項２に記載の発明では、請求項１と同様に、遊技盤の前面に貼着されるセル板は、遊技領域に対応する装飾画が貼着面との反対面に描画され、遊技機に対応する機種情報を表示した表示部は、遊技領域の所定位置に配置される。そして、表示部に重ね合わせて遊技盤に取り付けられる盤面部材は、外形を表示部よりも大きくするとともに表示部との対応位置に開口部を形成した構造とする。
【００１３】
これにより、遊技者等は、遊技盤の前面側から開口部を通して表示部の機種情報を確認することができる。さらに、表示部が開口部内に位置することで盤面部材周囲の装飾画から分離・独立したようになり、遊技者等は、表示部の機種情報を装飾画のキャラクター画像等と混同することなく容易に識別できるようになる。
【００１４】
したがって、表示部を遊技領域に設ける際の装飾画作成では、表示部やキャラクター画像等のレイアウト及び図案化が容易になり、効率よく作成することができる。さらに請求項１と同様に、従来のシールを用いる場合に比べて、誤表記の防止とコストアップの抑制が図られ、また遊技中でも表示部の確認を迅速、且つ、容易に行うことができる。
【００１５】
請求項３に記載の発明は、請求項２記載の遊技機において、前記開口部が光透過性部材により塞がれていることを特徴としている。
【００１６】
請求項３に記載の発明では、透明樹脂やガラス等の光透過性部材により開口部を塞ぐことで、表示部を視認可能な状態としつつ、開口部への異物進入を防止することができる。
【００１７】
また、請求項１〜請求項３の何れか１項記載の遊技機における表示部は、請求項４に記載の発明のように遊技領域のほぼ中央に配置してもよく、また、請求項１〜請求項４の何れか１項記載の遊技機における機種情報は、機種名、当たり確率、確変割合、リミット回数、賞球数を含む機種仕様、及び、遊技説明の少なくともいずれか一方としてもよい。
【００１８】
【発明の実施の形態】
以下、図面を参照して本発明の実施の形態を説明する。
【００１９】
［第１の実施形態］
図１には、本発明の第１の実施形態に係るパチンコ機１０が示されている。図示のように、パチンコ機１０は外枠１２を備え、外枠１２の前面には、窓部を有する額縁状の前枠１４の一側部が開閉可能に取付けられている。前枠１４の窓部には金枠１６が嵌め込まれており、金枠１６には、ガラス１８を装着したガラス枠２０の一側部が開閉可能に取付けられている。このガラス枠２０及び前枠１４は、前枠１４の他側部に設けられた施錠装置（シリンダ）２２により施錠されるようになっている。
【００２０】
またガラス枠２０の下方位置には、上皿２４やボックスプレート２６等からなる上受皿セット２８が一側部を前枠１４に開閉可能に取付けられており、前枠１４の下方部分には、下皿３０や灰皿３１を設けた下受皿セット３２が配設されている。
【００２１】
前枠１４の窓部には、遊技盤載置台に載せて交換可能とされた遊技盤３４が窓部を塞ぐように設置されている。この遊技盤３４はベニヤ板製で、前面に、樹脂材料で形成されたセル板３５が貼着されている。さらに遊技盤３４上（セル板３５上）には、ガイドレール３６とＧ盤飾り（装飾部品）３７Ａ、３７Ｂとによって囲まれた略円状の遊技領域３８が形成されており、セル板３５の表面で遊技領域３８と対応する範囲には、背景画像や各種キャラクター画像等を含むデザイン図（図示省略）が印刷されている。
【００２２】
遊技領域３８には、特別図柄表示装置４０や大入賞口（変動入賞装置）４２等の各種役物、始動口４４や各種入賞口４６Ａ、４６Ｂ、４６Ｃ、風車４８、装飾風車４９、サイドランプ５０等の遊技部品が配設され、最下位置にアウト口５２が配置されている。なお、ここで述べる遊技領域３８とは、ガイドレール３６及びＧ盤飾り３７Ａ、３７Ｂに囲まれた全ての範囲を指し、上記遊技部品の取付部位も含まれるものである。
【００２３】
また、ガイドレール３６の外側で左側上方部分には賞球表示灯５４が、右側上方部分には完了表示灯５６が配設されており、前枠１４の上縁部には外部表示灯５８が設けられている。さらに、下受皿セット３２の前面右側部には、図示しない打球発射装置により遊技領域３８に打ち込む遊技球の飛距離を調整するための発射ハンドル６０が設けられている。
【００２４】
次に、パチンコ機１０の機種情報を表示する構成について詳細に説明する。
【００２５】
［第１の実施形態］
図２（Ａ）、（Ｂ）には、本発明の第１の実施形態に係る機種情報の表示部近傍が示されている。本実施形態の特別図柄表示装置４０は、遊技盤３４への取付部となるフランジ部４０Ａが透明樹脂で形成されている。また、遊技領域３８（セル板３５上）に印刷によってパチンコ機１０の機種情報（賞球数及び当たり確率（値）「５＆１５，１／３００」）６２を表示した表示部６４は、フランジ部４０Ａの下部側略中央に配置されてフランジ部４０Ａに重ね合わせられており、且つ、フランジ部４０Ａの縁からはみ出ない大きさとされている。
【００２６】
これにより、遊技者等は、特別図柄表示装置４０のフランジ部４０Ａに覆われた表示部６４の機種情報６２を透視することができ、しかも、表示部６４が特別図柄表示装置４０周囲のデザイン図から切り離されたように見えるため、容易に識別することができる。
【００２７】
したがって、遊技領域３８のデザイン図作成においては、デザイン図の各種画像に対し機種情報６２を識別可能、且つ、自然な状態に融合させて表現するための考案や工夫等が軽減され図案化が容易になり、効率良く作成できるようになる。
【００２８】
また本実施の形態では、機種情報６２を印刷によって設けたことにより、誤表記が確実に防止され、製造時のコストアップも抑制される。さらに、シールを用いないことで、リサイクル時のシール分別作業も廃止することができる。
【００２９】
また表示部６４を遊技領域３８のほぼ中央に配置していることで、遊技者が遊技球の移動軌跡や特別図柄表示装置４０の表示内容を見ながらでも、機種情報６２を随時確認することができて、遊技に集中することができる。
【００３０】
さらに本実施形態では、表示部６４をデザイン図から分離させて見せるために特別図柄表示装置４０のフランジ部４０Ａを利用していることで、表示部６４に重ね合わせる部材を別途設けることなく簡単な構成にできている。
【００３１】
なお、本実施形態では、上述したフランジ部４０Ａにおける表示部６４との対応箇所を、凹部や凸部、あるいはレンズ形状等とすることで、表示部６４がより目立つようになる効果を得ることも可能である。
【００３２】
また、表示部６４を光透過性部材で覆う構成は、特別図柄表示装置４０に限らず、大入賞口４２等の他の遊技部品でもよい。
【００３３】
［第２の実施形態］
次に、本発明の第２の実施形態について説明する。ただし、第１の実施形態と同一構成部品について同一符合を付し、その説明を省略する。
【００３４】
本実施の形態では、遊技領域３８の右側部に配置された、正面視略円弧形状のＧ盤飾り３７Ａの上部付近に、遊技領域３８に略隣接して矩形の開口部６６が形成されている（図１参照）。図３には、開口部６６近傍の拡大図が示されており、図４にはその側断面図が示されている。
【００３５】
図示のように、開口部６６はＧ盤飾り３７Ａの厚み方向に貫通しており、遊技者等は、開口部６６を通して、セル板３５の表面が視認できるようになっている。この開口部６６との対応部分には、機種情報６２を開口部６６内に収まる大きさでセル板３５上に印刷した表示部６４が設けられている。
【００３６】
これにより、開口部６６内に位置する機種情報６２がＧ盤飾り３７Ａの周囲のデザイン図から分離・独立したようになり、遊技者等は、表示部６４の機種情報６２をデザイン図のキャラクター画像等と混同することなく容易に識別できるようになる。
【００３７】
したがって、第１の実施形態と同様に、表示部６４（機種情報６２）を遊技領域３８に設けるデザイン図作成においては、表示部６４のレイアウトやデザイン図全体の図案化が容易となり作成効率が改善され、従来のシールを用いる表示方法に対しては、誤表記の防止とコストアップの抑制が図られる。
【００３８】
また表示部６４を遊技領域３８に略隣接させて配置したことにより、遊技者が遊技領域３８を見ながらでも、視線を大きくずらすことなく、迅速、且つ、容易に機種情報６２を確認することができる。さらに本実施形態でも、既存のＧ盤飾り３７Ａを用いて表示部６４をデザイン図から分離させたことにより、構成を簡単にすることができている。
【００３９】
なお、上記の開口部６６は矩形に限らず、楕円等の他の形状としてもよい。また図５に示されるように、開口部６６に透明樹脂で形成したカバー６８を設けてもよい。このように、開口部６６をカバー６８で塞ぐ構造とすれば、ガラス枠２０を開放して遊技盤３４を露出させたときに、異物等が開口部６６に進入することはない。また、機種情報６２の内容を変更するなどの不正も防止することができる。さらに、カバー６８を凸レンズ等とすることにより、機種情報６２を拡大させ見やすくすることも可能である。
【００４０】
また、開口部６６に表示部６４を組み合わせる配置については、遊技領域３８の右側部に設けたＧ盤飾り３７Ａに限らず、例えば、図１に示す遊技領域３８の右下端部に設けられたＧ盤飾り３７Ｂとすることもできる。
【００４１】
なお、本実施の形態で説明した開口部６６やカバー６８を用いる構成は、第１の実施形態で説明した特別図柄表示装置４０等の遊技部品に適用することが可能であり、また逆に、表示部６４（機種情報６２）を光透過性材料で覆い透視する構成は、Ｇ盤飾り３７Ａ、３７Ｂ等の装飾部品に適用することもできる。
【００４２】
【発明の効果】
本発明の遊技機は上記構成としたので、機種情報を遊技盤の遊技領域に表示する際に、遊技機に対応する機種情報が正しく表示され、且つ、コストの上昇が抑制されるとともに、デザイン図作成の効率化を図ることができる。
【図面の簡単な説明】
【図１】本発明に係るパチンコ機を示した正面図である。
【図２】本発明の第１の実施形態に係る機種情報の表示部を近傍拡大した図で、（Ａ）は特別図柄表示装置の正面図であり、（Ｂ）は（Ａ）の２Ｂ−２Ｂ線断面図である。
【図３】本発明の第２の実施形態に係る機種情報の表示部を近傍拡大した図である。
【図４】図３の４−４線における断面図である。
【図５】第２の実施形態の変形例を示した図で、図３の４−４線断面図である。
【符号の説明】
１０        パチンコ機（遊技機）
３４        遊技盤
３５        セル板
３７Ａ、３７Ｂ    Ｇ盤飾り（装飾部品）
３８        遊技領域
４０        特別図柄表示装置（遊技部品）
４０Ａ      フランジ部（光透過性材料）
６２        機種情報
６４        表示部
６６        開口部
６８        カバー（光透過性部材）
【図１】
0003741967.tif 000002
【図２】
0003741967.tif 000003
【図３】
0003741967.tif 000004
【図４】
0003741967.tif 000005
【図５】
0003741967.tif 000006